(57)【要約】【課題】単体のコネクタにおいて軸部を保護することが可能なレバーの初期ロック構造及びレバー式コネクタを提供する。【解決手段】操作部２２が操作されることにより軸部１２を中心に初期位置から嵌合完了位置まで回動し、コネクタＣを正規嵌合に至らせるレバー２０を前記初期位置に保持するレバーの初期ロック構造Ｒであり、前記レバー２０と、前記レバー２０が取り付けられるハウジング１０とが、前記レバー２０の初期位置において前記レバー２０の回動方向に当接し合った状態になる一対の第１当接面４１，５１と、前記操作部２２が前記軸部１２側へ押圧されたときに当接し合った状態になる一対の第２当接面４２，５２と、を備えている。【選択図】図１０
2019133749.tif 000002
【特許請求の範囲】
【請求項１】
操作部が操作されることにより軸部を中心に初期位置から嵌合完了位置まで回動し、コネクタを正規嵌合に至らせるレバーを前記初期位置に保持するレバーの初期ロック構造であり、
前記レバーと、前記レバーが取り付けられるハウジングとが、前記レバーの初期位置において前記レバーの回動方向に当接し合った状態になる一対の第１当接面と、前記操作部が前記軸部側へ押圧されたときに当接し合った状態になる一対の第２当接面と、
を備えているレバーの初期ロック構造。
【請求項２】
前記レバーまたは前記ハウジングに、前記第１当接面及び前記第２当接面をともに有する一の突起部が備えられている請求項１に記載のレバーの初期ロック構造。
【請求項３】
前記一対の第１当接面の少なくとも一方が、前記レバーを前記嵌合完了位置に回動しようとする力によって、他方と当接し合った状態から解放される方向に弾性撓み可能な弾性部に設けられ、
前記一対の第２当接面が、ともに弾性撓みしない剛体部に設けられている請求項１または請求項２に記載のレバーの初期ロック構造。
【請求項４】
前記剛体部が、前記レバーまたは前記ハウジングに一体的に突設され、
前記弾性部が、前記剛体部に支持されている請求項３に記載のレバーの初期ロック構造。
【請求項５】
前記レバーが、カム板部を有し、
前記弾性部が、前記カム板部に設けられ、前記カム板部の板面に沿う方向に弾性撓みするものである請求項３または請求項４に記載のレバーの初期ロック構造。
【請求項６】
ハウジングと、
前記ハウジングに取り付けられ、操作部が操作されることにより軸部を中心に初期位置から嵌合完了位置まで回動し、コネクタを正規嵌合に至らせるレバーと、
請求項１ないし請求項５のいずれか一項に記載のレバーの初期ロック構造と、
を備えているレバー式コネクタ。
【発明の詳細な説明】
【技術分野】
【０００１】
本発明は、レバーの初期ロック構造及びレバー式コネクタに関する。
【背景技術】
【０００２】
従来、初期位置から嵌合完了位置まで回動操作されることにより、コネクタを正規嵌合に至らせるレバーを備えたレバー式コネクタが知られている。例えば下記特許文献１に記載のレバー式コネクタは、レバーに設けられた穴部が、ハウジングに設けられた円柱状の軸部に嵌合支持されている。レバーの操作部は、初期位置においてはハウジングの後方に位置している。レバーは、操作部を初期位置から斜め前方に変位させることにより、軸部を中心に回動して嵌合完了位置に至る。
【０００３】
このレバー式コネクタには、レバーを初期位置に仮保持するための初期ロック構造が備えられている。初期ロック構造として、ハウジングには、片持ち状に延出した弾性ロック部が設けられ、レバーには、弾性ロック部に係止する係止部が設けられている。レバーの初期位置では、レバーの係止部がハウジングの弾性ロック部に係止することにより、嵌合完了位置側への回動が規制されている。
【先行技術文献】
【特許文献】
【０００４】
【特許文献１】特開２０１７−２２０７４号公報
【発明の概要】
【発明が解決しようとする課題】
【０００５】
ところで、単体のコネクタ（レバーが初期位置に仮保持されて相手側コネクタと未嵌合の状態のコネクタ）が、例えばハーネス工場において作業台から落下し、レバーの操作部が床に衝突して、操作部に大きな衝撃が加わる場合がある。このような場合、上記のような構成では、操作部に加わった衝撃がレバーを支持する軸部に集中し、軸部が折れてしまう等の虞があった。
【０００６】
本発明は上記のような事情に基づいて完成されたものであって、単体のコネクタにおいて軸部を保護することが可能なレバーの初期ロック構造及びレバー式コネクタを提供することを目的とする。
【課題を解決するための手段】
【０００７】
本発明のレバーの初期ロック構造は、操作部が操作されることにより軸部を中心に初期位置から嵌合完了位置まで回動し、コネクタを正規嵌合に至らせるレバーを前記初期位置に保持するレバーの初期ロック構造であり、前記レバーと、前記レバーが取り付けられるハウジングとが、前記レバーの初期位置において前記レバーの回動方向に当接し合った状態になる一対の第１当接面と、前記操作部が前記軸部側へ押圧されたときに当接し合った状態になる一対の第２当接面と、を備えているものである。
【０００８】
本発明のレバー式コネクタは、ハウジングと、前記ハウジングに取り付けられ、操作部が操作されることにより軸部を中心に初期位置から嵌合完了位置まで回動し、コネクタを正規嵌合に至らせるレバーと、前記レバーの初期ロック構造と、を備えているものである。
【発明の効果】
【０００９】
本発明によれば、操作部に衝撃が加わっても、一対の第２当接面が当接し合うことにより、軸部に衝撃が集中することを防ぐことができる。したがって、単体のコネクタにおいて軸部を保護することができる。
【図面の簡単な説明】
【００１０】
【図１】本実施例におけるレバー式コネクタであって、相手側コネクタと正規嵌合した状態を示す平面図
【図２】レバーが初期位置に保持された状態のレバー式コネクタを示す斜視図
【図３】レバー式コネクタを示す分解斜視図
【図４】ハウジングを示す背面図
【図５】ハウジングを示す平面図
【図６】ハウジングを示す側面図
【図７】レバーを示す背面図
【図８】レバーを示す断面図であって、図７のＡ−Ａ位置における断面に相当する断面図
【図９】レバーを示す側面図
【図１０】レバーが初期位置に保持された状態のレバー式コネクタであって、レバーの初期ロック構造のロック状態を拡大して示す図
【発明を実施するための形態】
【００１１】
本発明の好ましい形態を以下に示す。
本発明のレバーの初期ロック構造は、前記レバーまたは前記ハウジングに、前記第１当接面及び前記第２当接面をともに有する一の突起部が備えられているものとしてもよい。このような構成によれば、レバーまたはハウジングに、第１当接面及び前記第２当接面を別々に有する突起部を備える場合に比べて、構造を簡素化することができる。
【００１２】
また、本発明のレバーの初期ロック構造は、前記一対の第１当接面の少なくとも一方が、前記レバーを前記嵌合完了位置に回動しようとする力によって、他方と当接し合った状態から解放される方向に弾性撓み可能な弾性部に設けられ、前記一対の第２当接面が、ともに弾性撓みしない剛体部に設けられているものとしてもよい。このような構成によれば、レバーを初期位置から嵌合完了位置に回動しようとするときには、弾性部が弾性撓みして第１当接面の当接状態が解除されるから、レバーの回動操作を容易に行うことができる。また、操作部に強い衝撃が加わっても一対の第２当接部が当接し合った状態に保持されるから、確実に軸部を保護することができる。
【００１３】
また、本発明のレバーの初期ロック構造は、前記剛体部が、前記レバーまたは前記ハウジングに一体的に突設され、前記弾性部が、前記剛体部に支持されているものとしてもよい。このような構成によれば、弾性部と剛体部とを別々に設ける場合に比べて、スペース効率をよくすることができる。
【００１４】
また、本発明のレバーの初期ロック構造は、前記レバーが、カム板部を有し、前記弾性部が、前記カム板部に設けられ、前記カム板部の板面に沿う方向に弾性撓みするものとしてもよい。ここで、弾性部がカム板部の板厚方向に弾性撓みする場合には、弾性部とともにカム板部が板厚方向に変形する虞があるが、本構成によれば、カム板部がそのような変形をすることを防ぐことができる。
【００１５】
＜実施例＞
以下、本発明を具体化した一実施例について、図１〜図１０を参照しつつ詳細に説明する。
本実施例におけるレバー式コネクタ（以下、単にコネクタＣと称する）は、電線Ｗの端末部に接続された図示しない端子金具が収容されるハウジング１０と、回動操作されることによりコネクタＣと相手側コネクタ８０とを正規嵌合に至らせる回動式のレバー２０と、ハウジング１０から引き出された電線Ｗの束を所定の方向に屈曲させる電線カバー３０とを備えている。このコネクタＣは、レバー２０を初期位置に保持するとともに、単体のコネクタＣにおいて軸部１２を保護することが可能なレバーの初期ロック構造Ｒを備えている。以下、各構成部材において、相手側コネクタ８０との嵌合面側（図１の下側）を前方、反対側を後方とし、また、図１の紙面に対して垂直な方向を上下方向として説明する。
【００１６】
ハウジング１０は、合成樹脂製であって、図５に示すように、全体として左右方向に長い形状をなしている。ハウジング１０の上下両面には、レバー２０のカム板部２１の一部が収容されるレバー収容部１１が設けられている。
【００１７】
ハウジング１０には、レバー２０を回動可能に支持する軸部１２が突設されている。軸部１２は、ハウジング１０の上下両面に設けられている。軸部１２は、ハウジング１０の後端部に設けられ、左右方向における中央部に位置している。
【００１８】
各軸部１２は、全体として円柱形状をなしている。軸部１２の突出端には、レバー２０の軸受部２４に係止して軸受部２４との嵌合状態を保持する軸係止部１３が設けられている（図３参照）。なお、各軸部１２は、左右に分割された形態をなしている。
【００１９】
ハウジング１０の後端部には、図５に示すように、電線カバー３０が係止されるカバー係止部１４が設けられている。カバー係止部１４は、ハウジング１０の上下両面に設けられている。カバー係止部１４は、ハウジング１０の後端部において軸部１２を間にした位置に一対ずつ設けられている。
【００２０】
ハウジング１０の後端部には、レバーの初期ロック構造Ｒを構成するハウジング側突起部４０が設けられている。ハウジング側突起部４０については、後ほど詳しく説明する。
【００２１】
電線カバー３０は、合成樹脂製であって、ハウジング１０の後面を覆うことが可能なキャップ状をなしている。電線カバー３０は、ハウジング１０に取り付けられると、ハウジング１０から延出する電線Ｗの束を左方または右方に屈曲した状態に保持する。電線の束は、電線カバー３０の左右方向における端部（図１では左端部）に開口された引出口３１から電線カバー３０の外に引き出される。
【００２２】
電線カバー３０には、レバー２０を嵌合完了位置にロックするロック受け部３２が設けられている。ロック受け部３２は、電線カバー３０の後面に設けられている。ロック受け部３２は、左右方向における中央部よりも引出口３１に寄った位置に配されている。
【００２３】
電線カバー３０の前端部は、ハウジング１０の後端部に設けられたカバー係止部１４の外側に被さった状態でハウジング１０に取り付けられる。電線カバー３０がハウジング１０に固定された状態では、電線カバー３０の前端部が、ハウジング側突起部４０とカバー係止部１４との間に配される。
【００２４】
レバー２０は、軸部１２を中心に回動可能な状態でハウジング１０に取り付けられている。レバー２０は、操作部２２が操作されることにより初期位置から嵌合完了位置まで回動し、コネクタＣと相手側コネクタ８０とを正規嵌合に至らせる。
【００２５】
レバー２０は、合成樹脂製であって、図３に示すように、ハウジング１０の上下両面に沿って配される一対のカム板部２１と、一対のカム板部２１を連結した形態の操作部２２とを有し、全体として門型形状をなしている。操作部２２には、電線カバー３０のロック受け部３２に係止するロック部２３が設けられている。
【００２６】
カム板部２１には、軸部１２が嵌合される軸受部２４が設けられている。軸受部２４は、軸部１２が嵌合可能な穴部２５を有する円筒形状をなしてカム板部２１の板面（対向面）２７に突設されている。カム板部２１は、図８に示すように、軸受部２４と操作部２２とを結ぶ直線方向に長い形状をなしている。
【００２７】
カム板部２１には、相手側コネクタ８０のカムピン８１が係合されるカム溝２６が設けられている。カム溝２６は、カム板部２１の板面２７に凹設されている。カム溝２６は、軸受部２４の近傍から概ねカム板部２１の短手方向に延びてカム板部２１の外周に至っている。
カム板部２１には、レバーの初期ロック構造Ｒを構成するレバー側突起部５０が設けられている。レバー側突起部５０については、後ほど詳しく説明する。
【００２８】
さて、レバーの初期ロック構造Ｒは、レバー２０の初期位置においてレバー２０の回動方向に当接し合った状態になる一対の第１当接面（以後、レバー２０に設けられたものをレバー側第１当接面５１、ハウジング１０に設けられたものをハウジング側第１当接面４１と称する）と、操作部２２が軸部１２側へ押圧されたときに当接し合った状態になる一対の第２当接面（以後、レバー２０に設けられたものをレバー側第２当接面５２、ハウジング１０に設けられたものをハウジング側第２当接面４２と称する）と、を備えている。
【００２９】
レバー側第１当接面５１及びレバー側第２当接面５２は、図８に示すように、ともにレバー側突起部５０に設けられている。レバー側突起部５０は、一対のカム板部２１の両方に設けられている。レバー側突起部５０は、一対のカム板部２１の板面２７に突設されている。レバー側突起部５０の突出寸法は、軸受部２４の突出寸法より小さくされている(図９参照）。
【００３０】
各レバー側突起部５０は、図８に示すように、各カム板部２１において軸受部２４と操作部２２との間に配されている。各レバー側突起部５０は、操作部２２と軸受部２４とを直線方向に結ぶ仮想ライン上に位置している。各レバー側突起部５０は、図１０に示すように、レバー２０の初期位置では、軸受部２４と横並び（前後方向の位置が概ね同じ）に配され、操作部２２より若干前方に位置している。
【００３１】
レバー側突起部５０の周面５３は、カム板部２１の板面２７に対し略垂直に立っている。レバー側突起部５０の周面５３のうち軸受部２４と対向する側の面に、レバー側第１当接面５１及びレバー側第２当接面５２が設けられている。レバー２０の初期位置においてレバー側第１当接面５１は、レバー側第２当接面５２の前方に位置している。レバー側第１当接面５１は、レバー２０の回動方向に対して略直交する面であり、レバー側第２当接面５２は、レバー２０の初期位置では前後方向に対して略平行をなす面である。
【００３２】
レバー側突起部５０は、レバー２０に固定されて弾性撓みしない剛体部５４と、剛体部５４に片持ち状に支持されて弾性撓み可能とされた弾性部５５とを備えている。剛体部５４に、レバー側第２当接面５２が設けられ、弾性部５５に、レバー側第１当接面５１が設けられている。
【００３３】
剛体部５４の周面のうちレバー２０の初期位置において前側に位置する前面５６と、後側に位置する後面５７とは、前後方向に対して直交する面とされている。剛体部５４の前面５６は、レバー２０の初期位置ではハウジング１０の後面５７に沿って配される。剛体部５４の周面５３のうちレバー側第２当接面５２と反対側の面は、後面５７から前面５６に向かって軸受部２４から次第に離れる傾斜をなしている。
【００３４】
剛体部５４は、台形状をなす部分が前後方向に斜めに連なった形態をなしている。以後、剛体部５４のうち後側の台形状をなす部分を剛体後部５４Ｂ、剛体部５４のうち前側の台形状をなす部分を剛体前部５４Ｆと称する。剛体後部５４Ｂがレバー側第２当接面５２を有している。
【００３５】
弾性部５５は、剛体部５４に一端が支持された片持ち状をなしている。弾性部５５は、剛体後部５４Ｂから前方へ延出し、弾性部５５と剛体前部５４Ｆとの間には撓み空間Ｓが形成されている。弾性部５５は、図３に拡大して示すように、カム板部２１の板面２７から離れた位置に設けられている。すなわち、弾性部５５とカム板部２１の板面２７との間には隙間Ｇがあいている。弾性部５５は、カム板部２１の板面２７に沿う方向に弾性撓みするものである。
【００３６】
弾性部５５のうち撓み空間Ｓと反対側にレバー側突部５８が突出している。レバー側突部５８は、図１０に示すように、前後両面が傾斜面とされた三角形状をなしている。レバー側突部５８は、レバー側第２当接面５２の前方に位置している。レバー側突部５８の後面５７が、レバー側第１当接面５１を構成している。
【００３７】
ハウジング側第１当接面４１及びハウジング側第２当接面４２は、図１０に示すように、ともにハウジング側突起部４０に設けられている。ハウジング側突起部４０は、ハウジング１０の後面５７から後方に突出している。ハウジング側突起部４０は、レバー側突起部５０との当接方向の剛性が高い剛体部とされている。ハウジング側突起部４０の突出寸法（前後方向の寸法）は、図１０に示すように、レバー側突起部５０の前後方向の寸法と同等とされている。ハウジング側突起部４０は、軸部１２と横並び（前後方向の位置が概ね同じ）に配されている。ハウジング側突起部４０は、図３に示すように、ハウジング１０の上下両側に一対が設けられ、ともにハウジング１０の上面及び下面に沿って突出した板状をなしている。各ハウジング側突起部４０の上下両面はハウジング１０の後面に略垂直に立つ。
【００３８】
ハウジング側突起部４０の周面４４のうち軸部１２と反対側の面に、ハウジング側第１当接面４１及びハウジング側第２当接面４２が設けられている。ハウジング側第１当接面４１は、ハウジング側第２当接面４２の前方に位置している。ハウジング側第１当接面４１は、レバー２０の回動方向に対して略直交する面であり、ハウジング側第２当接面４２は、前後方向に対して略平行をなす面である。
【００３９】
ハウジング側突起部４０のうち軸部１２とは反対側には、ハウジング側突部４３が突出している。ハウジング側突部４３は、図１０に示すように、前後両面が傾斜面とされた台形状をなしている。ハウジング側突部４３の前面５６がハウジング側第１当接面４１を構成し、ハウジング側突部４３の突出端面が、ハウジング側第２当接面４２を構成している。
【００４０】
ハウジング側突起部４０の後面４５は、ハウジング側第２当接面４２と略直交している。ハウジング側突起部４０の周面４４のうち軸部１２側の側面４６は、前端から後端に向かって軸部１２から次第に離れる傾斜をなしている。
【００４１】
次に、本実施例の単体のコネクタＣについて説明する。
単体のコネクタＣには、レバー２０が初期位置に取り付けられている。レバー２０の初期位置では、図１０に示すように、ハウジング側突起部４０とレバー側突起部５０とが左右に並んで配され、ハウジング側突部４３が、レバー側突部５８の後側に位置している。一対の第１当接面４１，５１同士、及び一対の第２当接面４２，５２同士は、それぞれが互いに略平行をなして対向配置されている。一対の第１当接面４１，５１同士、及び一対の第２当接面４２，５２同士は、互いに当接または近接している。レバー側突起部５０の弾性部５５は、弾性撓みしない自然状態となっている。また、レバー２０の操作部２２は、ハウジング１０の後面から後方に離れた位置に配され、電線カバー３０の左右方向における端（引出口３１と反対側の端）に位置している。操作部２２は、電線カバー３０の側面から横方向（図１０では右方）に突出している。
【００４２】
このようにしてレバー２０が初期位置に取り付けられた状態の単体のコネクタＣは、ハーネス工場等で不注意により作業台から落下し、操作部２２が床面に当たってしまう場合がある。このような場合、コネクタＣは操作部２２を下にして落下するのであり、操作部２２には上向きの衝撃が加わる。すると、対向配置された一対の第２当接面４２，５２同士が面当たりするため、操作部２２の衝撃が受け止められる。したがって、嵌合状態の軸受部２４及び軸部１２に衝撃が集中しないから、軸部１２が折れる等の破損を防ぐことができる。
【００４３】
次に、本実施例のコネクタＣの嵌合作業の一例について説明する。
コネクタＣを嵌合する際には、相手側コネクタ８０を嵌合して、相手側コネクタ８０のカムピン８１をレバー２０のカム溝２６に進入させる。その後、レバー２０を初期位置から嵌合完了位置に回動する。操作部２２を、電線カバー３０の引出口３１側へ向かって動かそうとすると、対向配置された一対の第１当接面４１，５１同士が面当たりし、やがて弾性部５５が撓み空間Ｓに弾性撓みして、レバー側第１当接面５１がハウジング側第１当接面４１から外れ、レバー側突部５８がハウジング側突部４３の突出端面に乗りあがる。こうして、一対の第１当接面４１，５１同士の当接し合った状態が解除され、レバー２０の回動が可能になる。レバー２０の回動に伴ってレバー側突部５８は、ハウジング側突部４３の後面の傾斜に沿って変位し、弾性部５５が弾性復帰して自然状態になる。また、カム溝２６とカムピン８１との係合により相手側コネクタ８０が引き寄せられ、レバー２０が嵌合完了位置に至ると両コネクタＣ，８０が正規の嵌合状態になる。このときロック部２３がロック受け部３２に係止し、レバー２０が初期位置側への戻りが規制された状態になる。こうして、コネクタＣと相手側コネクタ８０との嵌合作業が完了する。
【００４４】
次に、上記のように構成された本実施例の作用および効果について説明する。
本実施例のコネクタＣは、ハウジング１０と、ハウジング１０に取り付けられ、操作部２２が操作されることにより軸部１２を中心に初期位置から嵌合完了位置まで回動し、コネクタＣ，８０を正規嵌合に至らせるレバー２０と、レバー２０を初期位置に保持するレバーの初期ロック構造Ｒと、を有している。レバーの初期ロック構造Ｒは、レバー２０の初期位置においてレバー２０の回動方向に当接し合った状態になる一対の第１当接面４１，５１と、操作部２２が軸部１２側へ押圧されたときに当接し合った状態になる一対の第２当接面４２，５２と、を備えている。この構成によれば、操作部２２に衝撃が加わっても、一対の第２当接面４２，５２が当接し合うことにより、軸部１２に衝撃が集中することを防止することができる。したがって、単体のコネクタＣにおいて軸部１２を保護することができる。
【００４５】
また、レバー２０及びハウジング１０に、ハウジング側第１当接面４１及びハウジング側第２当接面４２をともに有する一のハウジング側突起部４０と、レバー側第１当接面５１及びレバー側第２当接面５２をともに有する一のレバー側突起部５０と、が備えられている。この構成によれば、ハウジングに、ハウジング側第１当接面及びハウジング側第２当接面を別々に有する突起部を備える場合に比して、ハウジング１０の構造を簡素化することができる。また、レバーに、レバー側第１当接面５１及びレバー側第２当接面５２を別々に有する突起部を備える場合に比して、レバー２０の構造を簡素化することができる。
【００４６】
また、レバー側第１当接面５１が、レバー２０を嵌合完了位置に回動しようとする力によってハウジング側第１当接面４１と当接し合った状態から解放される方向に弾性撓み可能な弾性部５５に設けられ、一対の第２当接面４２，５２が、ともに弾性撓みしない剛体部５４に設けられている。この構成によれば、レバー２０を初期位置から嵌合完了位置に回動しようとするときには、弾性部５５が弾性撓みして第１当接面４１，５１の当接状態が解除されるから、レバー２０の回動操作を容易に行うことができる。また、操作部２２に強い衝撃が加わっても一対の第２当接面４２，５２が当接し合った状態に保持されるから、確実に軸部１２を保護することができる。
【００４７】
また、剛体部５４が、レバー２０に一体的に突設され、弾性部５５が、剛体部５４に支持されている。この構成によれば、弾性部５５と剛体部５４とを別々に設ける場合に比して、スペース効率をよくすることができる。
【００４８】
また、レバー２０が、カム板部２１を有し、弾性部５５が、カム板部２１に設けられ、カム板部２１の板面２７に沿う方向に弾性撓みするものである。ここで、弾性部がカム板部の板厚方向に弾性撓みする場合には、弾性部とともにカム板部が板厚方向に変形する虞があるが、本実施例の構成によれば、カム板部２１がそのように変形することを防ぐことができる。
【００４９】
＜他の実施例＞
本発明は上記記述及び図面によって説明した実施例に限定されるものではなく、例えば次のような実施例も本発明の技術的範囲に含まれる。
（１）上記実施例では、ハウジング側第１当接面４１及びハウジング側第２当接面４２をともに有する一のハウジング側突起部４０と、レバー側第１当接面５１及びレバー側第２当接面５２をともに有する一のレバー側突起部５０と、が備えられているが、これに限らず、当接面を別々の異なる突起部に設けてもよい。
（２）上記実施例では、レバー側第１当接面５１が弾性部５５に設けられているが、これに限らず、ハウジング側突起部に弾性部を設けてハウジング側第１当接面を弾性部に設けてもよい。また、一対の第１当接面の両方を弾性部に設けてもよい。
（３）上記実施例では、一対の第２当接面４２，５２が、ともに弾性撓みしない剛体部に設けられているが、これに限らず、第２当接面を弾性撓みする部分に設けてもよい。
（４）上記実施例では、弾性部５５が、剛体部５４に支持されているが、これに限らず、弾性部はレバーの他の部分に支持されていてもよい。
（５）上記実施例では、弾性部５５が、カム板部２１の板面２７に沿う方向に弾性撓みするものとされているが、これに限らず、弾性部は、カム板部の板厚方向に弾性撓みするものとしてもよい。
【符号の説明】
【００５０】
Ｃ…レバー式コネクタ
Ｒ…初期ロック構造
１０…ハウジング
１２…軸部
２０…レバー
２１…カム板部
２２…操作部
２７…カム板部の板面
４０…ハウジング側突起部（突起部）
４１，５１…一対の第１当接面
４２，５２…一対の第２当接面
５０…レバー側突起部（突起部）
５４…剛体部
５５…弾性部
【図１】
2019133749.tif 000003
【図２】
2019133749.tif 000004
【図３】
2019133749.tif 000005
【図４】
2019133749.tif 000006
【図５】
2019133749.tif 000007
【図６】
2019133749.tif 000008
【図７】
2019133749.tif 000009
【図８】
2019133749.tif 000010
【図９】
2019133749.tif 000011
【図１０】
2019133749.tif 000012